(57)【要約】  本発明は、ネットワーク技術分野におけるマイクロブログ情報の配信方法、サーバおよび記憶媒体を提供する。前記方法は、情報内容と情報通知対象アカウントとが含まれる第１ユーザの配信対象情報を取得し、前記情報通知対象アカウントを用いて前記情報内容を配信することを含む。当該サーバは、取得モジュールと配信モジュールとを含む。本発明では、ユーザがメッセージを名を隠して発表できるサービスが提供される。即ち、情報を配信するとともに、オリジナル配信者を表示せずに、匿名アカウントを用いて配信を行う。これにより、ユーザのプライバシーをより良く保護し、マイクロブログサービスを立体化、多様化にさせる。【選択図】図１
2014531095.tif 000002
【特許請求の範囲】
【請求項１】
情報内容と情報通知対象アカウントとが含まれる第１ユーザの配信対象情報を取得し、
前記情報通知対象アカウントを用いて前記情報内容を配信することを含む
ことを特徴とするマイクロブログ情報の配信方法。
【請求項２】
第１ユーザの配信対象情報を取得する前に、
前記情報通知対象アカウントに対応するインタフェースを有する所定のアプリケーションページを展示し、
前記第１ユーザにより前記所定のアプリケーションページに入力された情報内容および送信要求を受信することを含み、
第１ユーザの配信対象情報を取得することは、
前記インタフェースを呼び出し、情報通知対象アカウントを取得し、
情報内容と情報通知対象アカウントとが含まれる第１ユーザの配信対象情報を取得することを含む
ことを特徴とする請求項１に記載のマイクロブログ情報の配信方法。
【請求項３】
第１ユーザの匿名配信を取得する前に、
前記情報通知対象アカウントに対応するインタフェースを有する所定のアプリケーションページを展示し、
前記第１ユーザにより前記所定のアプリケーションページのメッセージリストにおけるいずれか１つのメッセージのコメント欄に入力された情報内容およびコメント要求を受信することを含み、
第１ユーザの配信対象情報を取得することは、
前記インタフェースを呼び出し、情報通知対象アカウントを取得し、
前記第１ユーザにより前記所定のアプリケーションページのメッセージリストにおけるいずれか１つのメッセージのコメント欄に入力された情報内容と前記情報通知対象アカウントとが含まれる第１ユーザの配信対象情報を取得することを含む
ことを特徴とする請求項１に記載のマイクロブログ情報の配信方法。
【請求項４】
前記情報通知対象アカウントを用いて前記情報内容を配信することは、
前記情報通知対象アカウントを用いて、前記所定のアプリケーションページのメッセージリストにおけるいずれか１つのメッセージのコメント欄に、前記情報内容を配信することを含む
ことを特徴とする請求項３に記載のマイクロブログ情報の配信方法。
【請求項５】
前記情報通知対象アカウントを用いて前記情報内容を配信した後に、
第２ユーザが前記情報内容についてコメントする情報であるコメント情報を配信する時、前記コメント情報を前記第１ユーザに通知することを含む
ことを特徴とする請求項１に記載のマイクロブログ情報の配信方法。
【請求項６】
匿名アカウントを用いて、前記第１ユーザの配信情報を配信した後に、
審査ポリシーに従って前記情報通知対象アカウントにより配信された前記情報内容を検査し、前記第１ユーザによって前記審査ポリシーに準拠しない情報内容が所定の回数以上配信されたと判断した場合、前記第１ユーザの配信対象情報を拒否することを含む
ことを特徴とする請求項１〜４のいずれか１項に記載のマイクロブログ情報の配信方法。
【請求項７】
サーバであって、
情報内容と情報通知対象アカウントとが含まれる第１ユーザの配信対象情報を取得するための取得モジュールと、
前記情報通知対象アカウントを用いて前記情報内容を配信するための配信モジュールとを含む
ことを特徴とするサーバ。
【請求項８】
前記サーバは、
前記情報通知対象アカウントに対応するインタフェースを有する所定のアプリケーションページを展示するための第１展示モジュールと、
前記第１ユーザにより前記所定のアプリケーションページに入力された情報内容および送信要求を受信するための第１受信モジュールとを含み、
前記取得モジュールは、具体的に、前記インタフェースを呼び出し、情報通知対象アカウントを取得し、前記第１ユーザにより前記所定のアプリケーションページに入力された情報内容と前記情報通知対象アカウントとが含まれる第１ユーザの配信対象情報を取得する
ことを特徴とする請求項７に記載のサーバ。
【請求項９】
前記サーバは、
前記情報通知対象アカウントに対応するインタフェースを有する所定のアプリケーションページを展示するための第２展示モジュールと、
前記第１ユーザにより前記所定のアプリケーションページのメッセージリストにおけるいずれか１つのメッセージのコメント欄に入力された情報内容およびコメント要求を受信するための第２受信モジュールとを含み、
前記取得モジュールは、具体的に、前記インタフェースを呼び出し、前記情報通知対象アカウントを取得し、前記第１ユーザにより前記所定のアプリケーションページのメッセージリストにおけるいずれか１つのメッセージのコメント欄に入力された情報内容と前記情報通知対象アカウントとが含まれる第１ユーザの配信対象情報を取得する
ことを特徴とする請求項７に記載のサーバ。
【請求項１０】
前記配信モジュールは、具体的に、前記情報通知対象アカウントを用いて、前記所定のアプリケーションページのメッセージリストにおけるいずれか１つのメッセージのコメント欄に、前記情報内容を配信する
ことを特徴とする請求項９に記載のサーバ。
【請求項１１】
前記サーバは、さらに、
第２ユーザが前記情報内容についてコメントする情報であるコメント情報を配信する時、前記コメント情報を前記第１ユーザに通知するための通知モジュールを含む
ことを特徴とする請求項７に記載のサーバ。
【請求項１２】
前記サーバは、さらに、
審査ポリシーに従って、前記情報通知対象アカウントにより配信された前記情報内容を検査し、前記第１ユーザによって前記審査ポリシーに準拠しない情報内容が所定の回数以上配信されたと判断した場合、前記第１ユーザの配信対象情報を拒否するための検査モジュールを含む
ことを特徴とする請求項７〜１１のいずれか１項に記載のサーバ。
【請求項１３】
情報内容と情報通知対象アカウントとが含まれる第１ユーザの配信対象情報を取得し、
前記情報通知対象アカウントを用いて前記情報内容を配信することを含む
ことを特徴とするマイクロブログ情報の配信方法を、実行するコンピュータ実行可能な命令を含む、１つまたは複数の記憶媒体。
【発明の詳細な説明】
【技術分野】
【０００１】
本発明は、ネットワーク技術分野に関し、特に、マイクロブログ情報の配信方法、サーバ及び記憶媒体に関する。
【背景技術】
【０００２】
現在、マイクロブログの情報配信体系において、ユーザと自身により配信されるメッセージとは緊密に関連している。ユーザがメッセージを配信する場合、そのユーザ名と当該メッセージとは、同時にメッセージリストに表示される。その具体的な形式は、一般的に、「ユーザ名：メッセージの具体的な内容」である。これによって、ユーザにより配信される各メッセージについて追跡可能である。いかなるユーザも、当該ユーザにより配信されるメッセージに基づいて、オリジナル配信者にさかのぼることができるため、ユーザのプライバシーの保護が不利になってしまい、マイクロブログのサービスは制限されてしまう。
【発明の概要】
【発明が解決しようとする課題】
【０００３】
ユーザのプライバシーを保護し、マイクロブログのサービスを立体化、多様化させるために、本発明の実施例では、マイクロブログ情報の配信方法、サーバ及び記憶媒体が提供される。
【課題を解決するための手段】
【０００４】
解決手段は以下のとおりである。
【０００５】
本発明の第１の側面によれば、
情報内容と情報通知対象アカウントとが含まれる第１ユーザの配信対象情報を取得し、
前記情報通知対象アカウントを用いて前記情報内容を配信することを含むマイクロブログ情報の配信方法が提供される。
【０００６】
本発明の第２の側面によれば、情報内容と情報通知対象アカウントとが含まれる第１ユーザの配信対象情報を取得するための取得モジュールと、
前記情報通知対象アカウントを用いて前記情報内容を配信するための配信モジュールとを含むサーバが提供される。
【０００７】
本発明の第３の側面によれば、情報内容と情報通知対象アカウントとが含まれる第１ユーザの配信対象情報を取得し、
前記情報通知対象アカウントを用いて前記情報内容を配信することを含むマイクロブログ情報の配信方法を実行するためのコンピュータ実行可能な命令を含む記憶媒体が提供される。
【０００８】
本発明により提供されるマイクロブログ情報の配信方法、サーバおよび記憶媒体による有益な効果は、下記の通りである。
【０００９】
情報内容と情報通知対象アカウントとが含まれる第１ユーザの配信対象情報を取得し、前記情報通知対象アカウントを用いて前記情報内容を配信する。本発明により提供される解決手段を採用すれば、ユーザが情報を名を隠して発表できるサービスが提供される。即ち、情報を配信するとともに、オリジナル配信者を表示せず、匿名アカウントを用いて配信を行う。これにより、ユーザのプライバシーをより良く保護し、マイクロブログサービスを立体化、多様化させる。
【図面の簡単な説明】
【００１０】
本発明の実施例における技術の方案をより明確に説明するために、下記のように、実施例の説明のために必要な図面を簡単に説明する。下記のように説明される図面は本発明のいくつかの実施例にすぎず、当業者にとって、創造的作業を必要とせずに、これらの図面に基づいてほかの図面を得られることは、明らかである。
【図１】本発明の実施例によるマイクロブログ情報の配信方法のフローチャートの第１の図である。
【図２】本発明の実施例によるマイクロブログ情報の配信方法のフローチャートの第２の図である。
【図３】本発明の実施例によるマイクロブログ情報の配信方法のフローチャートの第３の図である。
【図４】本発明の実施例によるマイクロブログ情報の配信方法のフローチャートの第４の図である。
【図５】本発明の実施例によるサーバの構成を示す略図である。
【発明を実施するための形態】
【００１１】
本発明の目的、解決手段およびメリットをさらに明確にするために、下記のように、図面を参照しながら本発明の実施形態についてさらに詳しく説明する。
【００１２】
本発明により提供される実施例を説明する前に、説明を必要とするものとして、本発明に係るユーザは、ウェブページからサーバへログインしてよく、クライアントからサーバへログインしてもよいため、本実施例は、これに対して具体的に限定しない。
【００１３】
実施例１
図１は、本発明の実施例によるマイクロブログ情報の配信方法のフローチャートの第１の図である。図１からわかるように、当該実施例は下記のステップを含む。即ち、
ステップ１０１において、情報内容と情報通知対象アカウントとが含まれる第１ユーザの配信対象情報を取得する。
【００１４】
ステップ１０２において、前記情報通知対象アカウントを用いて前記情報内容を配信する。
【００１５】
選択的に、第１ユーザの配信対象情報を取得する前に、
前記情報通知対象アカウントに対応するインタフェースを有する所定のアプリケーションページを展示し、
前記第１ユーザにより前記所定のアプリケーションページに入力された情報内容および送信要求を受信することを含み、
第１ユーザの配信対象情報を取得することは、
前記インタフェースを呼び出し、情報通知対象アカウントを取得し、
前記第１ユーザにより前記所定のアプリケーションページに入力された情報内容と前記情報通知対象アカウントとが含まれる第１ユーザの配信対象情報を取得することを含む。
【００１６】
選択的に、第１ユーザの匿名配信を取得する前に、
前記情報通知対象アカウントに対応するインタフェースを有する所定のアプリケーションページを展示し、
前記第１ユーザにより前記所定のアプリケーションページのメッセージリストにおけるいずれか１つのメッセージのコメント欄に入力された情報内容およびコメント要求を受信することを含み、
第１ユーザの配信対象情報を取得することは、
前記インタフェースを呼び出し、情報通知対象アカウントを取得し、
前記第１ユーザにより前記所定のアプリケーションページのメッセージリストにおけるいずれか１つのメッセージのコメント欄に入力された情報内容と前記情報通知対象アカウントとが含まれる第１ユーザの配信対象情報を取得することを含む。
【００１７】
選択的に、前記情報通知対象アカウントを用いて前記情報内容を配信することは、
前記情報通知対象アカウントを用いて、前記所定のアプリケーションページのメッセージリストにおけるいずれか１つのメッセージのコメント欄に前記情報内容を配信することを含む。
【００１８】
選択的に、前記情報通知対象アカウントを用いて前記情報内容を配信した後は、
第２ユーザが前記情報内容についてコメントする情報であるコメント情報を配信する時、前記コメント情報を前記第１ユーザに通知することを含む。
【００１９】
選択的に、匿名アカウントを用いて前記第１ユーザの配信情報を配信した後は、
審査ポリシーに従って、前記情報通知対象アカウントを用いて配信される前記情報内容を検査し、前記第１ユーザによって前記審査ポリシーに準拠しない情報内容が所定の回数以上配信されたと判断した場合、前記第１ユーザの配信対象情報を拒否することを含む。
【００２０】
本発明の実施例による方法は、情報内容と情報通知対象アカウントとが含まれる第１ユーザの配信対象情報を取得し、前記情報通知対象アカウントを用いて前記情報内容を配信する。本発明により提供される解決手段を採用すれば、ユーザがメッセージを名を隠して発表できるサービスが提供される。即ち、情報を配信するとともに、オリジナル配信者を表示せずに、匿名アカウントを用いて配信を行う。これにより、ユーザのプライバシーをより良く保護し、マイクロブログサービスを立体化、多様化させる。
【００２１】
実施例２
図２は、本発明の実施例によるマイクロブログ情報の配信方法のフローチャートの第２の図である。当該実施例の実行主体はサーバである。具体的に、当該サーバは、マイクロブログサーバであってよい。図２からわかるように、当該実施例は、具体的に下記のステップを含む。即ち、
ステップ２０１において、第１ユーザは所定の情報通知対象アカウントに情報内容を送信する。
【００２２】
第１ユーザにはメッセージを名を隠して配信する需要がある場合、所定の情報通知対象アカウントに情報内容を送信することで、サーバが情報内容と情報通知対象アカウントとが含まれる第１ユーザの配信対象情報を取得するように情報配信をトリガーすることができる。
【００２３】
当該所定の情報通知対象アカウントは、サーバによって設定または調整される。当然、当該所定の情報通知対象アカウントは、例えば「木の穴」（マイクロブログの名前）、「匿名配信アカウント」など、複数の異なるアカウントであってもよい。また、所定の情報通知対象アカウント毎に対して、トラフィック設定を行ってもよい。即ち、各所定の情報通知対象アカウントの配信速度が受信されたメッセージの量によって影響が及ばされないように、所定の情報通知対象アカウントにより受信して配信できるメッセージの数に対して上限を設定する。その具体的な設定方法は、ここで説明を省略する。
【００２４】
具体的に、私信またはプライベートなメッセージを送信することなどによって第１ユーザが所定の情報通知対象アカウントに情報内容を送信することを実現することができる。例を挙げて説明すると、例えば、ユーザＡは、「木の穴」という所定の情報通知対象アカウントに、「今日は母の日です」という私信を送信する。
【００２５】
ステップ２０２において、サーバは情報内容と情報通知対象アカウントとが含まれる第１ユーザの配信対象情報を取得する。
【００２６】
本実施例では、サーバは第１ユーザの配信対象情報を取得する時、情報通知対象アカウントに基づいて第１ユーザの匿名配信要求を知って、匿名配信の目的を実現するように配信対象情報に含まれる情報内容を抽出する必要があるため、続いて名を隠して配信する情報として配信対象情報に含まれる情報内容を抽出する。
【００２７】
例えば、ステップ２０１の例示に基づいて、ユーザＡは「今日は母の日です」という私信を「木の穴」という所定の情報通知対象アカウントに送信する時、サーバは、所定の情報通知対象アカウントとしての「木の穴」と情報内容としての「今日は母の日です」とが含まれる第１ユーザの配信対象情報を取得する。
【００２８】
ステップ２０３において、情報通知対象アカウントを用いて前記情報内容を配信する。
【００２９】
ここで、当該ステップ２０３における情報通知対象アカウントは、ステップ２０１における所定の情報通知対象アカウントと同じであってよく、同じでなくてもよい。当該情報通知対象アカウントは、サーバによって設定または調整される。当然、例えば、当該所定の情報通知対象アカウントは、「匿名者」、「無名氏」などであってよい。また、各所定の情報通知対象アカウントに基づいてトラフィック設定を行ってよい。即ち、各情報通知対象アカウントの配信速度が受信されるメッセージの量によって影響が及ぼされないように、匿名アカウントによって配信できるメッセージの数に対し上限を設定する。その具体的な設定方法は、ここで説明を省略する。
【００３０】
例えば、ステップ２０２の例示に基づいて、サーバは、所定の情報通知対象アカウントとしての「木の穴」と情報内容としての「今日は母の日です」とが含まれる第１ユーザの配信対象情報を取得する。サーバは、「無名氏」という所定の情報通知対象アカウントを用いて、当該ユーザＡの「今日は母の日です」という情報内容を配信する。
【００３１】
選択的に、ステップ２０３の後に、当該実施例は下記のステップを含む。
【００３２】
ステップ２０４において、審査ポリシーに従って前記情報通知対象アカウントにより配信された前記情報内容を検査し、前記第１ユーザによって前記審査ポリシーに準拠しない情報内容が所定の回数以上配信されたと判断した場合、前記第１ユーザの配信対象情報を拒否する。
【００３３】
本実施例にとって、審査ポリシーに従って情報通知対象アカウントにより配信された前記情報内容を検査することは、第１ユーザの配信対象情報を検査することでもある。当該サーバにより提供されるサービスを使用するユーザは、当該匿名配信の機能を利用して違法なメッセージを配信する可能性があるため、予め設定されたバックステージの審査ポリシーに従って各ユーザが当該匿名配信機能を利用し配信したメッセージを検査する必要がある。前記第１ユーザによって前記審査ポリシーに準拠しないメッセージの内容が所定の回数以上配信されたと判断した場合、前記第１ユーザの配信対象情報を拒否する。ここで、当該所定の回数はサーバのアドミニストレーターにより設定または調整されてよい。
【００３４】
好ましくは、前記第１ユーザによって前記審査ポリシーに準拠しない情報内容が所定の回数以上配信されたと判断した場合、前記第１ユーザの配信対象情報を拒否することは、具体的に、前記第１ユーザによって前記審査ポリシーに準拠しない情報内容が所定の回数以上配信されたと判断した場合、所定の期間内に前記第１ユーザの配信対象情報を拒否することを含む。ここで、当該所定の期間は、サーバのアドミニストレーターにより設定または調整されてよい。前記第１ユーザによって前記審査ポリシーに準拠しない情報内容（違法なメッセージ）が所定の回数以上配信されたと判断した場合、後続の所定の期間内に、当該第１ユーザが当該匿名配信機能を使用することが禁止され、即ち、該第１ユーザの配信対象情報を拒否する。
【００３５】
ユーザの正常使用を保証するために、所定の期間を経た後、サーバは第１ユーザを解禁することもできる。即ち、第１ユーザの配信対象情報を受信した時、第１ユーザの配信対象情報を許可する。
【００３６】
選択的に、当該実施例は、ステップ２０３の後に下記のステップを含む。
【００３７】
ステップ２０５において、第２ユーザが前記情報内容についてコメントする情報であるコメント情報を配信する時、前記コメント情報を前記第１ユーザに通知する。
【００３８】
他のユーザが当該匿名ユーザにより配信されたメッセージについてコメントする際に、第１ユーザが自身により配信された匿名情報の動きを知って適時に関心をはらうように、当該コメント情報を第１ユーザに通知することができる。当該通知は、私信またはプライベートなメッセージによって実現できる。具体的に、第２ユーザがコメント情報を配信する時、サーバはコメント情報を私信として第１ユーザに送信し、または、サーバは当該コメントのイベントを私信として第１ユーザに送信する。
【００３９】
本発明の実施例により提供されるマイクロブログ情報の配信方法は、サーバが情報内容と情報通知対象アカウントとが含まれる第１ユーザの配信対象情報を取得し、前記情報通知対象アカウントを用いて前記情報内容を配信する。本発明による解決手段を採用すれば、ユーザが情報を名を隠して発表できるサービスが提供される。情報を配信するとともに、オリジナル配信者を表示せずに、匿名アカウントを用いて配信を行う。これにより、ユーザのプライバシーをより良く保護し、マイクロブログサービスを立体化、多様化させる。さらに、従来の私信の方式で情報内容を取得することにより、配信者がサーバのみによって識別できるため、ユーザのプライバシーを保護する。
【００４０】
実施例３
図３は、本発明の実施例によるマイクロブログ情報の配信方法のフローチャートの第３の図である。当該実施例３と実施例２との相違点は、匿名配信のトリガーが異なることにある。実施例２では、サーバが情報内容と情報通知対象アカウントとが含まれる配信対象情報を直接に取得することで匿名配信をトリガーする。一方、当該実施例では、所定のアプリケーションページにおいて前記第１ユーザにより前記所定のアプリケーションページに入力された情報内容および送信要求を受信し、さらに情報内容と情報通知対象アカウントとが含まれる配信対象情報を取得することにより、匿名配信をトリガーする。図３からわかるように、当該実施例は、下記のステップを含む。
【００４１】
ステップ３０１において、サーバは前記情報通知対象アカウントに対応するインタフェースを有する所定のアプリケーションページを展示する。
【００４２】
第１ユーザにはメッセージの匿名配信の需要がある場合、第１ユーザは所定のアプリケーションページへ切り替える要求をトリガーすることができる。サーバは当該要求を受信する時、アプリケーションページを展示する。
【００４３】
ここで、当該所定のアプリケーションページは、サーバにより設定または調整される。選択的に、所定のアプリケーションページは、下記のいずれか１つの場合であってよい。即ち、（１）当該所定のアプリケーションページは、アプリケーション、機能またはサービスとして、ユーザによりカスタマイズされて、オプションまたはボタンの形式で当該ユーザのアプリケーションリストに展示するができる。ユーザは、アプリケーションリストにおける当該オプションまたはボタンをクリックし、アプリケーションページへ切り替える要求をトリガーすることによって、サーバはアプリケーションページを展示する。（２）当該所定のアプリケーションページは、アプリケーション、機能またはサービスとして、オプションまたはボタンの形式でメッセージ配信のホームページに展示することができる。ユーザは、当該オプションまたはボタンをクリックし、アプリケーションページへ切り替える要求をトリガーすることによって、サーバはアプリケーションページを展示する。
【００４４】
例えば、当該所定のアプリケーションページは、「木の穴のページ」または「匿名配信のページ」などであってよい。本実施例では、これに対して具体的に限定しない。
【００４５】
ステップ３０２において、第１ユーザは、当該所定のアプリケーションページに第２メッセージを入力して送信要求をトリガーする。
【００４６】
説明を必要とするものとして、所定のアプリケーションページによって、ユーザが情報内容を入力するためのダイアローグボックスが提供される。第１ユーザは、当該ダイアローグボックスに情報内容を入力して、送信要求をトリガーする時、当該情報内容は当該所定のアプリケーションページに表示しない。サーバが当該情報内容および送信要求を受信して、第１ユーザの配信対象情報を取得し匿名アカウントを用いて配信した後、放送ホールおよび指定されたページに当該情報内容を表示する。ここで、指定されたページとは、匿名配信情報を表示するためのページまたはユーザにより指定されたページを指す。
【００４７】
例を挙げて説明すると、例えば、ユーザＡは、木の穴のページに切り替える要求をトリガーし、木の穴のページに「今日は父の日です」を入力して、送信要求をトリガーする。
ステップ３０３において、サーバは前記第１ユーザにより前記所定のアプリケーションページに入力された情報内容および送信要求を受信する。
【００４８】
サーバは、第１ユーザにより前記所定のアプリケーションページに入力された情報内容および送信要求を受信する際に、ステップ３０４における、情報通知対象アカウントを取得するためのインタフェースの呼び出しをトリガーすることによって、サーバは情報通知対象アカウントと入力された情報内容とに基づいて匿名配信を行うことができる。
【００４９】
ステップ３０４において、情報通知対象アカウントに対応するインタフェースを呼び出し、情報通知対象アカウントを取得する。
【００５０】
当該ステップ３０４は、サーバは前記第１ユーザにより前記所定のアプリケーションページに入力された情報内容および送信要求を受信する際に、前記情報通知対象アカウントに対応するインタフェースを呼び出し、当該第１ユーザにより前記所定のアプリケーションページに入力された情報の内容を、私信で情報通知対象アカウントに送信することにより、サーバは第１ユーザの配信対象情報を取得することを含んでもよい。
【００５１】
ステップ３０５において、サーバは、前記第１ユーザにより前記所定のアプリケーションページに入力された情報内容と前記情報通知対象アカウントとが含まれる第１ユーザの配信対象情報を取得する。
【００５２】
当該ステップ３０５とステップ２０２とは類似しているが、両ステップの相違点は、配信対象情報に含まれる情報内容が第１ユーザにより前記所定のアプリケーションページに入力された情報内容であることのみにあるため、ここで説明を省略する。
【００５３】
ステップ３０６において、前記情報通知対象アカウントを用いて前記情報内容を配信する。
【００５４】
ここで、当該ステップ３０６における情報通知対象アカウントは、ステップ３０３における所定の情報通知対象アカウントと同じであってよく、同じでなくてもよい。当該情報通知対象アカウントは、サーバによって設定または調整される。例えば、ステップ３０２の例示に基づいて、ユーザＡは、木の穴のページに切り替える要求をトリガーし、木の穴のページに「今日は父の日です」を入力し、送信要求をトリガーすると、インタフェースを呼び出し、「無名氏」を取得することで、サーバは「無名氏」と「今日は父の日です」が含まれる配信対象情報を取得し、「無名氏」を用いて「今日は父の日です」を配信する。
【００５５】
選択的に、当該実施例は、ステップ３０６の後にステップ３０７を含む。当該ステップ３０７は実施例２におけるステップ２０４と同様であるため、ここで説明を省略する。
【００５６】
選択的に、当該実施例は、ステップ３０６の後に、ステップ３０７を含む。当該ステップ３０７は実施例２におけるステップ２０５と同様であるため、ここで説明を省略する。
【００５７】
本発明の実施例によるマイクロブログ情報の配信方法は、情報内容と情報通知対象アカウントが含まれる第１ユーザの配信対象情報を取得し、前記情報通知対象アカウントを用いて前記情報内容を配信する。本発明による解決手段を採用すれば、ユーザがメッセージを名を隠して発表できるサービスが提供される。即ち、情報を配信するとともに、オリジナル配信者を表示せずに、匿名のアカウントを用いて配信を行う。これにより、ユーザのプライバシーをより良く保護し、マイクロブログサービスを立体化、多様化させる。さらに、所定のアプリケーションページを提供することによって、所定のアプリケーションページに情報通知対象アカウントを取得するためのインタフェースを提供することにより、匿名配信のフローをより簡単化する。
【００５８】
実施例４
図４は、本発明の実施例によるマイクロブログ情報の配信方法のフローチャートの第４の図である。当該実施例４と実施例３との相違点は、匿名配信のトリガーが異なることにある。実施例３では、第１ユーザにより所定のアプリケーションページにおいて匿名配信を間接的にトリガーする。一方、当該実施例４では、第１ユーザにより所定のアプリケーションページのメッセージリストにおけるいずれか１つのメッセージのコメント欄に入力された情報内容およびコメント要求を受信し、さらに情報内容と情報通知対象アカウントとが含まれる配信対象情報を取得することにより、匿名配信をトリガーする。図４からわかるように、当該実施例は、下記のステップを含む。即ち、
ステップ４０１において、サーバは、前記情報通知対象アカウントに対応するインタフェースを有する所定のアプリケーションページを展示する。
【００５９】
当該ステップ４０１はステップ３０１と同様であるため、ここで説明を省略する。
【００６０】
ステップ４０２において、第１ユーザは、当該所定のアプリケーションページのメッセージリストにおけるいずれか１つのメッセージのコメント欄に情報内容を入力し、コメント要求をトリガーする。
【００６１】
第１ユーザはログイン状態にある時、第１ユーザにはメッセージを名を隠して配信する需要がある場合、第１ユーザは、所定のアプリケーションページへ切り替える要求をトリガーすることができる。サーバは、当該要求を受信する時、所定のアプリケーションページを展示する。所定のアプリケーションページに切り替えられた時、そのメッセージリストも当該所定アプリケーションページに表示する。第１ユーザは、メッセージリストにおけるいずれか１つのメッセージのコメント欄に情報内容を入力してコメント要求をトリガーすることにより、当該メッセージについてコメントすることができる。
【００６２】
説明を必要とするものとして、第１ユーザは、コメント欄に情報内容を入力してコメント要求をトリガーする時、当該情報内容は、当該所定のアプリケーションページに表示しない。例を挙げて説明すると、例えば、メッセージリストにおけるメッセージは「今日も大雨です」である場合、第１ユーザは、木の穴のページに第３メッセージのコメント欄に「そうですね〜」という情報内容を入力して、コメントをクリックすることで、当該メッセージについてコメントすることを確認する。当該「そうですね〜」は、当該メッセージのコメント欄に表示しない。
【００６３】
ステップ４０３において、サーバは、前記第１ユーザにより前記所定のアプリケーションページのメッセージリストにおけるいずれか１つのメッセージのコメント欄に入力された情報内容およびコメント要求を受信する。
【００６４】
サーバは、第１ユーザにより前記所定のアプリケーションページのメッセージリストにおけるいずれか１つのメッセージのコメント欄に入力された情報内容およびコメント要求を受信する際に、ステップ４０４における、情報通知対象アカウントを取得するためのインタフェースの呼び出しをトリガーすることにより、サーバは、情報通知対象アカウントと入力された情報内容とに基づいて匿名配信を行うことができる。
【００６５】
ステップ４０４において、前記インタフェースを呼び出し、情報通知対象アカウントを取得する。
【００６６】
当該ステップ４０４は、下記の通りであってよい。即ち、サーバは、前記第１ユーザにより前記所定のアプリケーションページのメッセージリストにおけるいずれか１つのメッセージのコメント欄に入力された情報内容およびコメント要求を受信する際に、前記情報通知対象アカウントに対応する当該インタフェースを呼び出し、当該情報の内容を私信で情報通知対象アカウントに送信することにより、サーバは第１ユーザの配信対象情報を取得することができる。
【００６７】
ステップ４０５において、サーバは、前記第１ユーザにより前記所定のアプリケーションページのメッセージリストにおけるいずれか１つのメッセージのコメント欄に入力された情報内容と前記情報通知対象アカウントとが含まれる第１ユーザの配信対象情報を取得する。
【００６８】
当該ステップ４０５とステップ２０２とは類似している。両ステップの相違点は、配信対象情報に含まれる情報の内容が、第１ユーザにより前記所定のアプリケーションページのメッセージリストにおけるいずれか１つのメッセージのコメント欄に入力された情報の内容であることのみにあるため、ここで説明を省略する。
【００６９】
ステップ４０６において、前記情報通知対象アカウントを用いて前記情報内容を配信する。
【００７０】
説明と必要とするものとして、配信する際に、当該情報内容は、当該メッセージについてコメントする情報であるため、情報通知対象アカウントを用いて当該情報内容を当該メッセージのコメントリストに配信する。そのコメントリストの具体的なフォーマットは、従来の技術の既存なものと同様であるため、ここで説明を省略する。
【００７１】
選択的に、当該実施例は、ステップ４０６の後にステップ４０７を含む。当該ステップ４０７は実施例２におけるステップ２０４と同様であるため、ここで説明を省略する。
【００７２】
選択的に、当該実施例は、ステップ４０６の後にステップ４０８を含む。当該ステップ４０８は実施例２におけるステップ２０５と同様であるため、ここで説明を省略する。
【００７３】
本発明の実施例によるマイクロブログ情報の配信方法は、情報内容と情報通知対象アカウントが含まれる第１ユーザの配信対象情報を取得し、前記情報通知対象アカウントを用いて前記情報内容を配信する。本発明による解決手段を採用すれば、ユーザはメッセージを名を隠して発表できるサービスが提供される。即ち、情報を配信するとともに、オリジナル配信者を表示せずに、匿名アカウントを用いて配信を行う。これにより、ユーザのプライバシーをより良く保護し、マイクロブログサービスを立体化、多様化にさせる。さらに、所定のアプリケーションページを提供して、所定のアプリケーションページのメッセージリストにおいて匿名コメントの機能を提供することにより、匿名配信の応用範囲をさらに広くにする。
【００７４】
実施例５
図５は、本発明の実施例によるサーバの構成を示す略図である。前記サーバは、
情報内容と情報通知対象アカウントとが含まれる第１ユーザの配信対象情報を取得する取得モジュール５０１と、
前記情報通知対象アカウントを用いて前記情報内容を配信する配信モジュール５０２とを含む
ことを特徴とする。
【００７５】
選択的に、当該サーバは、
前記情報通知対象アカウントに対応するインタフェースを有する所定のアプリケーションページを展示する第１展示モジュール５０３と、
前記第１ユーザにより前記所定のアプリケーションページに入力された情報内容および送信要求を受信する第１受信モジュール５０４とを含み、
前記取得モジュール５０１は、具体的に、前記インタフェースを呼び出し、前記情報通知対象アカウントを取得し、前記第１ユーザにより前記所定のアプリケーションページに入力された情報内容と前記情報通知対象アカウントとが含まれる第１ユーザの配信対象情報を取得する。
【００７６】
選択的に、該サーバは、
前記情報通知対象アカウントに対応するインタフェースを有する所定のアプリケーションページを展示する第２展示モジュール５０５と、
前記第１ユーザにより前記所定のアプリケーションページのメッセージリストにおけるいずれか１つのメッセージのコメント欄に入力された情報内容およびコメント要求を受信する第２受信モジュール５０６とを含み、
前記取得モジュール５０１は、具体的に、前記インタフェースを呼び出し、前記情報通知対象アカウントを取得し、前記第１ユーザにより前記所定のアプリケーションページのメッセージリストにおけるいずれか１つのメッセージのコメント欄に入力された情報内容と前記情報通知対象アカウントとが含まれる第１ユーザの配信対象情報を取得する。
【００７７】
選択的に、前記配信モジュール５０２は、具体的に、前記情報通知対象アカウントを用いて、前記所定のアプリケーションページのメッセージリストにおけるいずれか１つのメッセージのコメント欄に前記情報内容を配信する。
【００７８】
選択的に、前記サーバは、
第２ユーザが前記情報内容についてコメントする情報であるコメント情報を配信する時、前記コメント情報を前記第１ユーザに通知する通知モジュール５０７を含む。
【００７９】
選択的に、前記サーバは、
審査ポリシーに従って、前記情報通知対象アカウントにより配信された前記情報内容を検査し、前記第１ユーザによって前記審査ポリシーに準拠しない情報内容が所定の回数以上配信されたと判断した場合、前記第１ユーザの配信対象情報を拒否する検査モジュール５０８を含む。
【００８０】
説明を必要とするものとして、上記の実施例によるサーバについてマイクロブログ情報を配信する時上記の各機能モジュールに分ける例を挙げて説明する。実際の応用において、必要に応じて、上記の機能の割り当てが異なる機能モジュールによって実現することができる。即ち、上記のように説明した全部または一部の機能を実現するように、サーバの内部の構成を異なる機能モジュールに分ける。また、上記の実施例により提供されるサーバは、マイクロブログ情報配信方法の実施例と同じ構想に属し、その具体的な実現の過程について方法の実施例を詳しく参照できるため、ここで説明を省略する。
【００８１】
上記本発明の実施例の番号は、説明するためであり、実施例の優劣を代表するものでない。
【００８２】
当業者は、上記の実施例の全部または一部のステップが、ハードウェアによって実現でき、または、プログラムによって関連のハードウェアに対し指示することによって実現できることを理解できる。前記プログラムは、コンピュータ読み取り可能な記憶媒体に記憶してもよい。上記に言及された記憶媒体は、読取り専用メモリ、磁気ディスクまたは光ディスクなどであってよい。
【００８３】
上記のように説明したのは、本発明の好ましい実施例にすぎず、本発明の保護範囲を限定するものではない。本発明の精神と原則内に行われる如何なる修正、均等的取替え、改良などは全て本発明の保護範囲内に含まれる。
【図１】
2014531095.tif 000003
【図２】
2014531095.tif 000004
【図３】
2014531095.tif 000005
【図４】
2014531095.tif 000006
【図５】
2014531095.tif 000007
【国際調査報告】
2014531095.tif 000008
2014531095.tif 000009
2014531095.tif 000010
2014531095.tif 000011
2014531095.tif 000012
2014531095.tif 000013